(57)【要約】【課題】粉末状の食品やその他の物品を空気に触れさせないで保存するのに適した紙袋やプラスチックフィルム製袋用の袋止め用クリップを提供することを目的とする。【解決手段】下向きに狭まるテーパ状の内面を備えた外固定枠と、前記外固定枠のテーパ状の内面に配置された弾性シートと、前記弾性シートの内面に沿って配置された、両側部に突条を有する押え枠とを備え、前記外固定枠内に配置した弾性シートの内面に軟質シート製の袋の開口部を介在させた上、前記押え枠をその開口部側からくさび式に押し込むことにより、前記コ字状の押え枠の端部が前記袋を介して前記外固定枠内に配置した弾性シートの内面にかみ合い、前記袋の開口部を確実に密閉するようにしたことを特徴する袋止め用クリップ。【選択図】図１２
2020050392.tif 000002
【特許請求の範囲】
【請求項１】
下向きに狭まるテーパ状の内面を備えた外固定枠と、
前記外固定枠のテーパ状の内面に配置された弾性シートと、
前記弾性シートの内面に沿って配置された、両側部に突条を有する押え枠とを備え、
前記外固定枠内に配置した弾性シートの内面に軟質シート製の袋の開口部を介在させた上、前記押え枠をその開口部側からくさび式に押し込むことにより、前記コ字状の押え枠の端部が前記袋を介して前記外固定枠内に配置した弾性シートの内面にかみ合い、前記袋の開口部を確実に密閉するようにしたことを特徴する袋止め用クリップ。
【請求項２】
前記両側部に突条を有する押え枠は、その両側部にＶ字状断面の突条が形成されており、前記押え枠の突条が前記袋を介して前記外固定枠内に配置した弾性シートの内面に圧入されることを特徴とする請求項１に記載の袋止め用クリップ。
【請求項３】
前記両側部に突条を有する押え枠は、コ字状断面に形成されており、コ字状断面の開口部が突条となっていて、前記押え枠の突条が前記袋を介して前記外固定枠内に配置した弾性シートの内面に圧入されることを特徴とする請求項１に記載の袋止め用クリップ。
【請求項４】
前記外固定枠は、その両端部にそれぞれ保持枠が取り付けられており、前記押え枠が前記袋を介して前記外固定枠内に配置した弾性シートの内面に圧入されることを特徴とする請求項１に記載の袋止め用クリップ。
【請求項５】
前記外固定枠と押え枠とを備えた袋止め用クリップは、その両側からＣ字状の圧締具をはめて抜け落ちるのを防止するようにしたことを特徴とする請求項１または２に記載の袋止め用クリップ。
【請求項６】
前記外固定枠は、前記押え枠の一端が前記外固定枠のどちらかの端部に回動可能に軸着してあり、前記押え枠が前記袋を介して前記外固定枠内に配置した弾性シートの内面に圧入されることを特徴とする請求項１に記載の袋止め用クリップ。
【請求項７】
前記外固定枠は、前記押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことを特徴とする請求項６に記載の袋止め用クリップ。
【発明の詳細な説明】
【技術分野】
【０００１】
本発明は、食品等を収納するためのプラスチックフィルム製の袋の開口部をシールするための袋止め用クリップであり、特に粉末状の食品やその他の物品を空気に触れさせないで保存するのに適している。
【背景技術】
【０００２】
従来から、食品が入ったプラスチックフィルム製の袋の開口部をシールするクリップが市販されており、簡単に使用できるために広く普及している。
例えば特開２０１２−１９２９８２号公報（特許文献１参照）においてクリップは、棒状で断面がＵ字状の溝を有する第１の支持部材、該第１の支持部材に回動自在に取り付けられ該溝に嵌合する嵌合部材、および棒状で断面がコの字状の溝を有する第２の支持部材から構成され、該第２の支持部材が該第１の支持部材に回動自在に取り付けられており、レトルト袋を所望の位置で第１の支持部材と該嵌合部材で挟んで嵌合することによりシールし、その後にクリップから出ているレトルト袋の部分を切り取り、その状態で第１の支持部材を第２の支持部材の断面がコの字状の溝に嵌合させて、レトルト食品の残りを空気に触れない様に安定的にシールして保存するようにしてある。
【０００３】
実用新案登録第３１３１８４４号公報（特許文献２参照）において袋用口止め具は、端部に設けた回転部を中心に開閉する２つの桿状部材からなり、該桿状部材の他端には開閉操作を行うリング状把手が各々設けられてなり、前記桿状部材の一方は回転部とリング状把手との間に桿部をなす凸状部材を形成し、他方の桿状部材は回転部とリング状把手との間に、前記桿部に対応しこれを収納する溝を備えた嵌合部を設けた凹状部材を形成してある。
【０００４】
特開２００３−３２１０３６号公報（特許文献３参照）において閉じ具は、ブレード部材とトラフ部材とを備えており、両者がヒンジストラップで結合されている。ブレード部材及びトラフ部材は、それぞれ、比較的硬い第一プラスチックからなる第一部分（第三部分）及び比較的柔らかい第二プラスチックからなる第二部分（第四部分）を備えており、第一部分及び第二部分は一体成形されており、ブレード部材において、第一部分は楔形部材であり、第二部分は外部部分であり、トラフ部材において、第一部分は内部チャネルであり、第二部分は外部スキンである。
【０００５】
実用新案登録第３１３６３７７号公報（特許文献４参照）において袋用クリップは、凸部を有する長手形状の本体と、この本体に回動自在に支持され、凸部に嵌まる凹部を有する長手形状の操作部材とを備え、凸部と凹部との間に、封が切られた袋の出入り部を挟持する袋用クリップであって、凸部は、本体の長手方向に沿って設けられ、凸部の頂部には、本体の長手方向に沿う長手形状の開口部が設けられ、この長手形状の開口部の長手方向は、本体１の長手方向に沿う形状である。
【０００６】
実用新案登録第３１６４９４７号公報（特許文献５参照）において包装袋用閉じ具は、適当長さに成る載受材の先端に設けた模様突起部の半部材の内側部分を載受杆の内側部と一体の凹形状に形成する。上記の載受材の基端部の左右両側に突軸を設け、適当長さに成る嵌合材の先端に設けた模様突起部の半部材の内側部分を嵌合材の内側部と一体の凹形状に形成する。上記の嵌合材の基端に外部に水平に突設した摘み片を設け、この摘み片の内側の凹形状部の左右両側に通孔を設け、前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにしてある。
【０００７】
実用新案登録第３１６９８１４号公報（特許文献６参照）において袋止め用クリップは、本体部材と操作部材とからなり、操作部材は本体部材に対して回動可能であり、かつ、本体部材に対して係止可能である。本体部材は凸形状を有する縦断面を有しており、操作部材は凸形状に対応する凹形状を有しており、凸形状と凹形状とは、操作部材を本体部材に対して係止させた状態において本体部材と操作部材との間に隙間が形成される位置関係にある。
【先行技術文献】
【特許文献】
【０００８】
【特許文献１】特開２０１２−１９２９８２号公報
【特許文献２】実用新案登録第３１３１８４４号公報
【特許文献３】特開２００３−３２１０３６号公報
【特許文献４】実用新案登録第３１３６３７７号公報
【特許文献５】実用新案登録第３１６４９４７号公報
【特許文献６】実用新案登録第３１６９８１４号公報
【特許文献７】特開２０１５−８３４９３号公報（特願２０１３−２２２８３６号）
【発明の概要】
【発明が解決しようとする課題】
【０００９】
しかし、前記従来の各クリップは凹状部材と凸状部材の組合せからなり、その間に袋の開口部を介在させた状態で凹状部材に凸状部材をはめ込むようにしたものであり、袋の開口部の気密性の保持の面で充分なものとはいえず、長期間の保存中に袋内に外気が入り込んで内容物が酸化あるいは変質してしまうという問題があった。
また、実用新案登録第３１３１８４４号公報（特許文献２参照）における袋用口止め具においては、凸状部材をＩ型としてその下部の段差が凹状部材の内壁に設けた突条に係合し、袋の開口部を前記段差に沿って折れ曲がるようにして閉じるようにしている。
しかしながら上記の工夫にも係らず、袋の開口部の気密性の保持の面ではいまだ充分なものとはいえず、長期間の保存中に袋内に外気が入り込んで内容物が酸化あるいは変質してしまうという問題は解消されていない。
【００１０】
そこで本発明者は先に、特願２０１３−２２２８３６号（特開２０１５−８３４９３号公報）において、下向きに狭まるテーパ状の内面を備えた外固定枠と、
前記外固定枠のテーパ状の内面に配置された弾性シートと、前記弾性シートの表面に沿って配置され、前記弾性シート側の面に長さ方向に沿って幅方向の中間位置に突条を形成した羽根板と、前記羽根板の内面に沿って配置された断面がくさび状の押え枠とを備え、前記外固定枠内に配置した弾性シートの内面に軟質シート製の袋の開口部を介在させ、さらに羽根板を配置した上、前記押え枠をくさび状に押し込むことにより、前記羽根板の突条が前記袋を介して弾性シートにかみ合い、前記袋の開口部を確実に密閉するようにした袋止め用クリップを提案した。
しかしながら、上記袋止め用クリップはまだ使用するパーツが多く、簡単な操作で袋の開口部に取り付けて確実に前記開口部を密閉するという機能を完全に体現したものとはなっていなかった。
【００１１】
本発明はこの問題を解決するために創意工夫されたものであって、紙袋やプラスチックフィルム製袋等の、とりわけ粉末状の食品やその他の物品を空気に触れさせないで保存するのに適した、新規な袋止め用クリップを提供することを目的とするものである。
【課題を解決するための手段】
【００１２】
すなわちこの発明の袋止め用クリップは、下向きに狭まるテーパ状の内面を備えた外固定枠と、
前記外固定枠のテーパ状の内面に配置された弾性シートと、
前記弾性シートの内面に沿って配置された、両側部に突条を有する押え枠とを備え、
前記外固定枠内に配置した弾性シートの内面に軟質シート製の袋の開口部を介在させた上、前記押え枠をその開口部側からくさび式に押し込むことにより、前記コ字状の押え枠の端部が前記袋を介して前記外固定枠内に配置した弾性シートの内面にかみ合い、前記袋の開口部を確実に密閉するようにしたことを特徴するものである。
【００１３】
この発明の袋止め用クリップにおいて、前記両側部に突条を有する押え枠は、その両側部にＶ字状断面の突条が形成されており、前記押え枠の突条が前記袋を介して前記外固定枠内に配置した弾性シートの内面に圧入されることをも特徴とするものである。
【００１４】
この発明の袋止め用クリップにおいて、前記両側部に突条を有する押え枠は、コ字状断面に形成されており、コ字状断面の開口部が突条となっていて、前記押え枠の突条が前記袋を介して前記外固定枠内に配置した弾性シートの内面に圧入されることをも特徴とするものである。
【００１５】
この発明の袋止め用クリップにおいて、前記外固定枠は、その両端部にそれぞれ保持枠が取り付けられており、前記押え枠が前記袋を介して前記外固定枠内に配置した弾性シートの内面に圧入されることをも特徴とするものである。
【００１６】
この発明の袋止め用クリップにおいて、前記外固定枠と押え枠とを備えた袋止め用クリップは、その両側からＣ字状の圧締具をはめて抜け落ちるのを防止するようにしたことをも特徴とするものである。
【００１７】
この発明の袋止め用クリップにおいて、前記外固定枠は、前記押え枠の一端が前記外固定枠のどちらかの端部に回動可能に軸着してあり、前記押え枠が前記袋を介して前記外固定枠内に配置した弾性シートの内面に圧入されることをも特徴とするものである。
【００１８】
この発明の袋止め用クリップにおいて、前記外固定枠は、前記押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことをも特徴とするものである。
【発明の効果】
【００１９】
本発明に係るクリップを用いることよって、前記外固定枠の内面に配置された弾性シートと、前記押え枠のコ字状の開口部端部とがかみ合うことにより、プラスチックフィルム製袋や紙袋を確実に長期に亘って安定的にシールすることが可能となる。
特に粉末状の食品やその他の物品に使用する場合には、空気の混入を防ぎながら粉末状の食品等の一部を必要量だけ取り出して、残りを空気に触れさせることなく安定的に保存を継続することができる。
【図面の簡単な説明】
【００２０】
【図１】本発明に係る袋止め用クリップの第１実施例を説明するものであり、外固定枠の概略斜視図である。
【図２】前記外固定枠に収納してその内面をテーパ状とするための、左右一対のテーパ部材の概略斜視図である。
【図３】前記テーパ部材の内壁に沿って収納される弾性シートの概略斜視図である。
【図４】前記外固定枠にテーパ部材を押し込む状態の概略斜視図である。
【図５】さらにその内側に弾性シートをはめ込もうとする状態の概略斜視図である。
【図６】押え枠の概略斜視図である。
【図７】前記外固定枠ないし押え枠の組立前の状態の概略断面図である。
【図８】前記外固定枠両端に保持枠を取り付けようとする状態の概略斜視図である。
【図９】前記外固定枠両端に保持枠を取り付けた状態の概略斜視図である。
【図１０】前記弾性シートを配設した外固定枠間に袋を介して押え枠を押し込もうとする状態の概略斜視図である。
【図１１】その状態の概略断面図である。
【図１２】前記弾性シートを配設した外固定枠間に袋を介して押え枠を押し込んだ状態の概略断面図である。
【図１３】その上で、外固定枠間と押え枠の外側からＣ字状の圧締具をはめようとする状態の概略斜視図である。
【図１４】前記Ｃ字状の圧締具をはめ込んだ状態の概略斜視図である。
【図１５】その概略断面図である。
【図１６】前記押え枠の別の例を示し、前記弾性シートを配設した外固定枠間に袋を介してひし形の押え枠を押し込もうとする状態の概略断面図である。
【図１７】前記弾性シートを配設した外固定枠間に袋を介して前記押え枠を押し込んだ状態の概略断面図である。
【図１８】前記押え枠のさらに別の例を示し、前記弾性シートを配設した外固定枠間に袋を介して星形の押え枠を押し込もうとする状態の概略断面図である。
【図１９】前記弾性シートを配設した外固定枠間に袋を介して前記押え枠を押し込んだ状態の概略断面図である。
【図２０】前記押え枠のさらに別の例を示し、前記弾性シートを配設した外固定枠間に袋を介して先端を外向きに突出させたコ字状の押え枠を押し込もうとする状態の概略断面図である。
【図２１】前記弾性シートを配設した外固定枠間に袋を介して前記押え枠を押し込んだ状態の概略断面図である。
【図２２】本発明に係る袋止め用クリップの第２実施例を説明するものであり、押え枠の概略斜視図である。
【図２３】前記外固定枠ないし押え枠の組立前の状態の概略断面図である。
【図２４】前記外固定枠両端に軸着用保持枠および抜止め用保持枠を取り付けようとする状態の概略斜視図である。
【図２５】前記外固定枠両端に保持枠を取り付けた状態の概略斜視図である。
【図２６】前記軸着用保持枠に押え枠を軸着しようとする状態の概略斜視図である。
【図２７】前記軸着用保持枠に押え枠を軸着するために軸ピンを取り付けようとする状態の概略斜視図である。
【図２８】前記弾性シートを配設した外固定枠間に袋を介して押え枠を押し込もうとする状態の概略斜視図である。
【図２９】前記弾性シートを配設した外固定枠間に袋を介して押え枠を押し込んだ状態の概略斜視図である。
【図３０】前記押え枠を外固定枠間にはめこんだ上、抜止め用保持枠に止めピンを取り付けて押え枠を抜け止めした状態の概略斜視図である。
【図３１】前記弾性シートを配設した外固定枠間に袋を介して押え枠を押し込もうとする状態の概略断面図である。
【図３２】前記弾性シートを配設した外固定枠間に袋を介して押え枠を押し込んだ状態の概略断面図である。
【発明を実施するための形態】
【００２１】
図１ないし図２１は本発明の袋止め用クリップの第１実施例を示すものである。
この実施例の袋止め用クリップ３１は、図１ないし図１２に示すように、下向きに狭まるテーパ状の内面を備えた外固定枠３２を備えている。
前記外固定枠３２は図１に示すように、上端に両側から延びるフランジ部３２ｂを備えた開口部３２ａによってコ字状に形成されており、フランジ部３２ｂのそれぞれの端部から下向きの垂下片３２ｃが垂設されている。
そして、前記外固定枠３２のテーパ状の内面は、図２に示す左右一対のテーパ部材３３を前記外固定枠３２にはめ込むことにより形成されている。前記一対のテーパ部材３３は底面が幅広で互いに向合う面が上方に向かって後退するような形状でテーパ面となっている。なお３３ａは、前記テーパ面上部に形成した前記垂下片３２ｃをはめ込む段差である。
そして、図４に示すように、両側のフランジ部３２ｂと下向きの垂下片３２ｃで囲まれた部位に前記テーパ部材３３の上端部分をはめ込み、幅広の下端を前記外固定枠３２の底部に接触させて安定化させている。
【００２２】
図３は弾性シート３４を示すものであり、図５に示すように前記外固定枠３２の下向きに狭まるテーパ状の内面に沿って配設される。この弾性シート３４は一定の肉厚を有し、かつ適宜の反発力を備えていて後述の押え枠の突条と密着するものであることが望ましい。
【００２３】
また袋止め用クリップ３１は、図６に示すように、前記弾性シート３４の内面に沿って配置されるくさび式の押え枠３５を備えている。図７は前記外固定枠３２、前記一対のテーパ部材３３、前記弾性シート３４および押え枠３５の分解状態を示すものである。
【００２４】
図８は前記外固定枠３２に左右一対のテーパ部材３３を組み込み、さらに前記弾性シート３４を前記外固定枠３２のテーパ状の内面に沿って配設した上、前記外固定枠３２の両端部にそれぞれ保持枠３６を取り付けようとする状態を示すものである。
この保持枠３６は、基本的に前記外固定枠３２の端部の外側にはめ込まれるコ字状の側壁３６ａおよび底壁３６ｂを備え、さらに長さ方向の壁面には押え枠（３５）の前記外固定枠３２から突出する部分をはめ込むガイド部３６ｃが突設されている。
図９は前記外固定枠３２の両端部にそれぞれ保持枠３６を取り付けた状態を示すものである。
【００２５】
そして、図１０に示すように、前記外固定枠３２の開口部３２ａから袋４１のシート状の端部をはめ込み、その上から前記押え枠３５を押し込むのである。図１１はその状態を示すものであり、図１２は前記押え枠３５が前記袋４１を介して前記外固定枠３２内に配置した弾性シート３４の内面に圧入された状態を示すものである。
すなわち、前記コ字状の押え枠３５の端部が前記袋４１を介して前記外固定枠３２内に配置した弾性シート３４の内面にかみ合い、前記袋４１の開口部を確実に密閉するようになっている。
【００２６】
前記外固定枠３２と押え枠３５とを備えたこの実施例の袋止め用クリップ３１においては、図１３ないし図１５に示すように、その両側から圧締具３７をはめて抜け落ちるのを防止するようにしておくことが推奨される。
該圧締具３７は、好ましくは強固なバネ性を備えたＣ字状の保持アーム３７ａの両端に、前記外固定枠３２の底部を保持する外固定枠保持面３７ｂ、および前記押え枠３５の上面を保持する押え枠保持面３７ｃが形成されており、図１３の状態からＣ字状の保持アーム３７ａの弾性を利用して図１４のように袋止め用クリップ３１の上下面を挟み込むのである。図１５はその状態を示す断面図であって、前記外固定枠３２の底部および前記押え枠３５の上面はＣ字状の保持アーム３７ａの弾性を利用して強固に圧締されている。
【００２７】
図１６ないし図１７は、前記両側部に突条を有する押え枠の第１の変形例を示すものであり、本変形例の押え枠５１の下端はほぼひし形に形成されていて、押え枠５１の両側部にはＶ字状断面の突条５２ａが形成される。すなわち、前記押え枠５１の突条５２ａが前記袋４１を介して前記外固定枠３２内に配置した弾性シート３４の内面に圧入される。
したがって、前記押え枠５１の突条５２ａが前記袋４１を介して前記外固定枠３２内に配置した弾性シート３４の内面に強固に食い込み、前記袋４１の開口部をより確実に密閉することができる。
【００２８】
図１８ないし図１９は、前記両側部に突条を有する押え枠の第２の変形例を示すものであり、本変形例の押え枠５１の下端はほぼ星形に形成されていて、押え枠５１の両側部には第１の変形例より鋭角なＶ字状断面の突条５２ｂが形成される。すなわち、前記押え枠５１の突条５２ｂが前記袋４１を介して前記外固定枠３２内に配置した弾性シート３４の内面に圧入される。
したがって、前記押え枠５１の突条５２ｂが前記袋４１を介して前記外固定枠３２内に配置した弾性シート３４の内面に強固に食い込み、前記袋４１の開口部をより確実に密閉することができる。
【００２９】
図２０ないし図２１は、前記両側部に突条を有する押え枠の第３の変形例を示すものであり、本変形例の押え枠５１のコ字状の下端には鋭角の突状５２ｃが形成されていて、押え枠５１の両側部には第１および第２の変形例より鋭角なＶ字状断面の突条５２ｃが形成される。すなわち、前記押え枠５１の突条５２ｃが前記袋４１を介して前記外固定枠３２内に配置した弾性シート３４の内面に圧入される。
したがって、前記押え枠５１の突条５２ｃが前記袋４１を介して前記外固定枠３２内に配置した弾性シート３４の内面に強固に食い込み、前記袋４１の開口部をより確実に密閉することができる。
【００３０】
図２２ないし図３２は本発明の袋止め用クリップの第２実施例を示すものである。
この実施例の袋止め用クリップ１１は、外固定枠３２とその内側に配設されるテーパ部材３３、そしてテーパ部材３３のテーパ状の内面に沿って配設される弾性シート３４において第１実施例と共通であるので、その説明を省略する。
【００３１】
前記袋止め用クリップ１１は、前記弾性シート３４の内面に沿って配置されるくさび式の押え枠１２を備えている。
図２２に示すように、本例の下向きの開口を備えたコ字状断面の押え枠１２は、その一端に外固定枠３２の端部に形成した軸孔３２ｄと連通する軸孔１２ａが形成してある。
また、コ字状断面の押え枠１２の他端の外周には、筒状の抜止めストッパ１２ｂが固着されている。
図２３は前記外固定枠３２、前記一対のテーパ部材３３、前記弾性シート３４および押え枠１２の分解状態を示すものである。
【００３２】
図２４は前記外固定枠３２に左右一対のテーパ部材３３を組み込み、さらに前記弾性シート３４を前記外固定枠３２のテーパ状の内面に沿って配設した上、前記外固定枠３２の両端部にそれぞれ保持枠１３，１４を取り付けようとする状態を示すものである。
前記外固定枠３２の端部に形成した軸孔３２ｄ側の保持枠１３は、基本的に前記外固定枠３２の端部の外側にはめ込まれるコ字状の側壁１３ａおよび底壁１３ｂを備え、さらに長さ方向の壁面には押え枠１２の前記外固定枠３２から突出する部分をはめ込むガイド部１３ｃが突設されている。１３ｄは前記外固定枠３２の端部に固着するためのネジ孔である。
【００３３】
図２４において、他方の保持枠１４も、基本的に前記外固定枠３２の端部の外側にはめ込まれるコ字状の側壁１４ａおよび底壁１４ｂを備え、さらに長さ方向の壁面には押え枠１２の前記外固定枠３２から突出する部分をはめ込むＵ字状抜止め部１４ｃが突設されている。
図２５は前記外固定枠３２の両端部にそれぞれ保持枠１３，１４を取り付けた状態を示すものであり、図２６はさらに前記外固定枠３２に押え枠１２を軸着しようとする状態を示すものである。そして図２７のように、前記保持枠１３に設けた軸着用の欠損部１３ｅから、軸ピン１５を前記外固定枠３２の端部に形成した軸孔３２ｄおよび押え枠１２の軸孔１２ａに挿通して軸着する。
【００３４】
その上で、図２８および図３１に示すように、前記外固定枠３２の開口部３２ａから袋２１のシート状の端部をはめ込み、その上から前記押え枠１２を首振りさせて押し込むのである。図２９はその状態を示すものであり、前記Ｕ字状抜止め部１４ｃの上部に設けた貫通孔１４ｄに抜止め用ピン１６をはめ込もうとしている状態を示している。
図３０および図３２は前記押え枠１２が前記袋２１を介して前記外固定枠３２内に配置した弾性シート３４の内面に圧入された状態を示すものである。
すなわち、前記コ字状の押え枠１２の端部が前記袋２１を介して前記外固定枠３２内に配置した弾性シート３４の内面にかみ合い、前記袋２１の開口部を確実に密閉するようになっている。
その際前記押え枠１２は、Ｕ字状抜止め部１４ｃに取り付けた前記抜止め用ピン１６と係合し、確実に抜止めできるようになっている。
【００３５】
前記実施例に使用される外固定枠や押え枠、テーパ部材等の素材としては、アルミ等の金属や高密度ポリエチレンやポリプロピレン、ＡＢＳ樹脂等のプラスチック素材が好適に使用され、袋２１，４１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋２１，４１の素材やその開口部のサイズ、使用目的（内容物その他）、前記押え枠や羽根板との相性等に応じて決定することができる。
【００３６】
ちなみに前記袋止め用クリップ１１，３１は気密性を高めた素材からなる袋２１，４１の開口部に装着して使用されるが、前記袋２１，４１の開口部とは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を袋２１，４１に充填して開口部を前記袋止め用クリップ１１，３１により密閉し、その上で前記真空ポンプ機構を用いて袋２１，４１内の空気を吸引して脱気すれば、袋２１，４１内を無酸素状態で長期間保持することができるようになる。
本発明者が実験したところによれば、米や豆等の穀物、茶葉やシイタケ、魚介類等の生鮮食品やその乾物類、穀粉等を袋２１，４１に詰めて真空ポンプ機構で脱気したところ、袋２１，４１は充填物とともにカチカチに硬化した状態となり、１年以上経過してもカチカチの硬化した状態に保たれたままであって何ら気密性が損なわれることはなく、充填物には変色等も見られなかった。
【産業上の利用可能性】
【００３７】
この発明の袋止め用クリップによれば、食品等を収納するためのプラスチックフィルム製の袋や紙袋のみならず、金属箔やその他の種類の素材を積層した複合フィルム等の袋の開口部の閉止に有効に利用することができる。
なお、以上は収納する物品を主に食品や粉末状の食品として説明したが、食品以外の物品であっても、外気を遮断して密封シールする場合に本発明のクリップが利用できるのはいうまでもない。
【符号の説明】
【００３８】
１１  袋止め用クリップ
１２  押え枠
１２ａ  軸孔
１２ｂ  抜止めストッパ
１３  保持枠
１３ａ  側壁
１３ｂ  底壁
１３ｃ  ガイド部
１３ｄ  ネジ孔
１３ｅ  欠損部
１４  保持枠
１４ａ  側壁
１４ｂ  底壁
１４ｃ  Ｕ字状抜止め部
１４ｄ  貫通孔
１５  軸ピン
１６  抜止め用ピン
２１  袋
３１  袋止め用クリップ
３２  外固定枠
３２ａ  開口部
３２ｂ  フランジ部
３２ｃ  垂下片
３２ｄ  軸孔
３３  テーパ部材
３３ａ  段差
３４  弾性シート
３５  押え枠
３６  保持枠
３６ａ  側壁
３６ｂ  底壁
３６ｃ  ガイド部
３７  圧締具
３７ａ  保持アーム
３７ｂ  外固定枠保持面
３７ｃ  押え枠保持面
４１  袋
５１  押え枠
５２ａ  突条
５２ｂ  突条
５２ｃ  突条
【図１】
2020050392.tif 000003
【図２】
2020050392.tif 000004
【図３】
2020050392.tif 000005
【図４】
2020050392.tif 000006
【図５】
2020050392.tif 000007
【図６】
2020050392.tif 000008
【図７】
2020050392.tif 000009
【図８】
2020050392.tif 000010
【図９】
2020050392.tif 000011
【図１０】
2020050392.tif 000012
【図１１】
2020050392.tif 000013
【図１２】
2020050392.tif 000014
【図１３】
2020050392.tif 000015
【図１４】
2020050392.tif 000016
【図１５】
2020050392.tif 000017
【図１６】
2020050392.tif 000018
【図１７】
2020050392.tif 000019
【図１８】
2020050392.tif 000020
【図１９】
2020050392.tif 000021
【図２０】
2020050392.tif 000022
【図２１】
2020050392.tif 000023
【図２２】
2020050392.tif 000024
【図２３】
2020050392.tif 000025
【図２４】
2020050392.tif 000026
【図２５】
2020050392.tif 000027
【図２６】
2020050392.tif 000028
【図２７】
2020050392.tif 000029
【図２８】
2020050392.tif 000030
【図２９】
2020050392.tif 000031
【図３０】
2020050392.tif 000032
【図３１】
2020050392.tif 000033
【図３２】
2020050392.tif 000034
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
下向きに狭まるテーパ状の内面を備えた外固定枠と、
前記外固定枠のテーパ状の内面に配置された弾性シートと、
前記弾性シートの内面に沿って配置された、両側部に突条を有するコ字状の押え枠とを備え、
前記外固定枠内に配置した弾性シートの内面に軟質シート製の袋の開口部を介在させた上、前記押え枠をその開口部側からくさび式に押し込むことにより、前記コ字状の押え枠の端部が前記袋を介して前記外固定枠内に配置した弾性シートの内面にかみ合い、前記袋の開口部を確実に密閉するようにしたことを特徴する袋止め用クリップ。
【請求項２】
前記両側部に突条を有する押え枠は、その両側部にＶ字状断面の突条が形成されており、前記押え枠の突条が前記袋を介して前記外固定枠内に配置した弾性シートの内面に圧入されることを特徴とする請求項１に記載の袋止め用クリップ。
【請求項３】
前記両側部に突条を有するコ字状の押え枠は、コ字状の押え枠の開口部側の端部に外側に向けた突条が設けられており、前記押え枠の突条が前記袋を介して前記外固定枠内に配置した弾性シートの内面に圧入されることを特徴とする請求項１に記載の袋止め用クリップ。
【請求項４】
前記外固定枠は、その両端部にそれぞれ保持枠が取り付けられており、前記押え枠が前記袋を介して前記外固定枠内に配置した弾性シートの内面に圧入されることを特徴とする請求項１に記載の袋止め用クリップ。
【請求項５】
前記外固定枠と押え枠とを備えた袋止め用クリップは、その両側からＣ字状の圧締具をはめて抜け落ちるのを防止するようにしたことを特徴とする請求項１または２に記載の袋止め用クリップ。
【請求項６】
前記外固定枠は、前記押え枠の一端が前記外固定枠のどちらかの端部に回動可能に軸着してあり、前記押え枠が前記袋を介して前記外固定枠内に配置した弾性シートの内面に圧入されることを特徴とする請求項１に記載の袋止め用クリップ。
【請求項７】
前記外固定枠は、前記押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことを特徴とする請求項６に記載の袋止め用クリップ。
【手続補正２】
【補正対象書類名】明細書
【補正対象項目名】全文
【補正方法】変更
【補正の内容】
【発明の詳細な説明】
【技術分野】
【０００１】
本発明は、食品等を収納するためのプラスチックフィルム製の袋の開口部をシールするための袋止め用クリップであり、特に粉末状の食品やその他の物品を空気に触れさせないで保存するのに適している。
【背景技術】
【０００２】
従来から、食品が入ったプラスチックフィルム製の袋の開口部をシールするクリップが市販されており、簡単に使用できるために広く普及している。
例えば特開２０１２−１９２９８２号公報（特許文献１参照）においてクリップは、棒状で断面がＵ字状の溝を有する第１の支持部材、該第１の支持部材に回動自在に取り付けられ該溝に嵌合する嵌合部材、および棒状で断面がコの字状の溝を有する第２の支持部材から構成され、該第２の支持部材が該第１の支持部材に回動自在に取り付けられており、レトルト袋を所望の位置で第１の支持部材と該嵌合部材で挟んで嵌合することによりシールし、その後にクリップから出ているレトルト袋の部分を切り取り、その状態で第１の支持部材を第２の支持部材の断面がコの字状の溝に嵌合させて、レトルト食品の残りを空気に触れない様に安定的にシールして保存するようにしてある。
【０００３】
実用新案登録第３１３１８４４号公報（特許文献２参照）において袋用口止め具は、端部に設けた回転部を中心に開閉する２つの桿状部材からなり、該桿状部材の他端には開閉操作を行うリング状把手が各々設けられてなり、前記桿状部材の一方は回転部とリング状把手との間に桿部をなす凸状部材を形成し、他方の桿状部材は回転部とリング状把手との間に、前記桿部に対応しこれを収納する溝を備えた嵌合部を設けた凹状部材を形成してある。
【０００４】
特開２００３−３２１０３６号公報（特許文献３参照）において閉じ具は、ブレード部材とトラフ部材とを備えており、両者がヒンジストラップで結合されている。ブレード部材及びトラフ部材は、それぞれ、比較的硬い第一プラスチックからなる第一部分（第三部分）及び比較的柔らかい第二プラスチックからなる第二部分（第四部分）を備えており、第一部分及び第二部分は一体成形されており、ブレード部材において、第一部分は楔形部材であり、第二部分は外部部分であり、トラフ部材において、第一部分は内部チャネルであり、第二部分は外部スキンである。
【０００５】
実用新案登録第３１３６３７７号公報（特許文献４参照）において袋用クリップは、凸部を有する長手形状の本体と、この本体に回動自在に支持され、凸部に嵌まる凹部を有する長手形状の操作部材とを備え、凸部と凹部との間に、封が切られた袋の出入り部を挟持する袋用クリップであって、凸部は、本体の長手方向に沿って設けられ、凸部の頂部には、本体の長手方向に沿う長手形状の開口部が設けられ、この長手形状の開口部の長手方向は、本体１の長手方向に沿う形状である。
【０００６】
実用新案登録第３１６４９４７号公報（特許文献５参照）において包装袋用閉じ具は、適当長さに成る載受材の先端に設けた模様突起部の半部材の内側部分を載受杆の内側部と一体の凹形状に形成する。上記の載受材の基端部の左右両側に突軸を設け、適当長さに成る嵌合材の先端に設けた模様突起部の半部材の内側部分を嵌合材の内側部と一体の凹形状に形成する。上記の嵌合材の基端に外部に水平に突設した摘み片を設け、この摘み片の内側の凹形状部の左右両側に通孔を設け、前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにしてある。
【０００７】
実用新案登録第３１６９８１４号公報（特許文献６参照）において袋止め用クリップは、本体部材と操作部材とからなり、操作部材は本体部材に対して回動可能であり、かつ、本体部材に対して係止可能である。本体部材は凸形状を有する縦断面を有しており、操作部材は凸形状に対応する凹形状を有しており、凸形状と凹形状とは、操作部材を本体部材に対して係止させた状態において本体部材と操作部材との間に隙間が形成される位置関係にある。
【先行技術文献】
【特許文献】
【０００８】
【特許文献１】特開２０１２−１９２９８２号公報
【特許文献２】実用新案登録第３１３１８４４号公報
【特許文献３】特開２００３−３２１０３６号公報
【特許文献４】実用新案登録第３１３６３７７号公報
【特許文献５】実用新案登録第３１６４９４７号公報
【特許文献６】実用新案登録第３１６９８１４号公報
【特許文献７】特開２０１５−８３４９３号公報（特願２０１３−２２２８３６号）
【発明の概要】
【発明が解決しようとする課題】
【０００９】
しかし、前記従来の各クリップは凹状部材と凸状部材の組合せからなり、その間に袋の開口部を介在させた状態で凹状部材に凸状部材をはめ込むようにしたものであり、袋の開口部の気密性の保持の面で充分なものとはいえず、長期間の保存中に袋内に外気が入り込んで内容物が酸化あるいは変質してしまうという問題があった。
また、実用新案登録第３１３１８４４号公報（特許文献２参照）における袋用口止め具においては、凸状部材をＩ型としてその下部の段差が凹状部材の内壁に設けた突条に係合し、袋の開口部を前記段差に沿って折れ曲がるようにして閉じるようにしている。
しかしながら上記の工夫にも係らず、袋の開口部の気密性の保持の面ではいまだ充分なものとはいえず、長期間の保存中に袋内に外気が入り込んで内容物が酸化あるいは変質してしまうという問題は解消されていない。
【００１０】
そこでお本発明者は先に、特願２０１３−２２２８３６号（特開２０１５−８３４９３号公報）において、下向きに狭まるテーパ状の内面を備えた外固定枠と、
前記外固定枠のテーパ状の内面に配置された弾性シートと、前記弾性シートの表面に沿って配置され、前記弾性シート側の面に長さ方向に沿って幅方向の中間位置に突条を形成した羽根板と、前記羽根板の内面に沿って配置された断面がくさび状の押え枠とを備え、前記外固定枠内に配置した弾性シートの内面に軟質シート製の袋の開口部を介在させ、さらに羽根板を配置した上、前記押え枠をくさび状に押し込むことにより、前記羽根板の突条が前記袋を介して弾性シートにかみ合い、前記袋の開口部を確実に密閉するようにした袋止め用クリップを提案した。
しかしながら、上記袋止め用クリップはまだ使用するパーツが多く、簡単な操作で袋の開口部に取り付けて確実に前記開口部を密閉するという機能を完全に体現したものとはなっていなかった。
【００１１】
本発明はこの問題を解決するために創意工夫されたものであって、紙袋やプラスチックフィルム製袋等の、とりわけ粉末状の食品やその他の物品を空気に触れさせないで保存するのに適した、新規な袋止め用クリップを提供することを目的とするものである。
【課題を解決するための手段】
【００１２】
すなわちこの発明の袋止め用クリップは、下向きに狭まるテーパ状の内面を備えた外固定枠と、
前記外固定枠のテーパ状の内面に配置された弾性シートと、
前記弾性シートの内面に沿って配置された、両側部に突条を有するコ字状の押え枠とを備え、
前記外固定枠内に配置した弾性シートの内面に軟質シート製の袋の開口部を介在させた上、前記押え枠をその開口部側からくさび式に押し込むことにより、前記コ字状の押え枠の端部が前記袋を介して前記外固定枠内に配置した弾性シートの内面にかみ合い、前記袋の開口部を確実に密閉するようにしたことを特徴するものである。
【００１３】
この発明の袋止め用クリップにおいて、前記両側部に突条を有する押え枠は、その両側部にＶ字状断面の突条が形成されており、前記押え枠の突条が前記袋を介して前記外固定枠内に配置した弾性シートの内面に圧入されることをも特徴とするものである。
【００１４】
この発明の袋止め用クリップにおいて、前記両側部に突条を有するコ字状の押え枠は、コ字状の押え枠の開口部側の端部に外側に向けた突条が設けられており、前記押え枠の突条が前記袋を介して前記外固定枠内に配置した弾性シートの内面に圧入されることをも特徴とするものである。
【００１５】
この発明の袋止め用クリップにおいて、前記外固定枠は、その両端部にそれぞれ保持枠が取り付けられており、前記押え枠が前記袋を介して前記外固定枠内に配置した弾性シートの内面に圧入されることをも特徴とするものである。
【００１６】
この発明の袋止め用クリップにおいて、前記外固定枠と押え枠とを備えた袋止め用クリップは、その両側からＣ字状の圧締具をはめて抜け落ちるのを防止するようにしたことをも特徴とするものである。
【００１７】
この発明の袋止め用クリップにおいて、前記外固定枠は、前記押え枠の一端が前記外固定枠のどちらかの端部に回動可能に軸着してあり、前記押え枠が前記袋を介して前記外固定枠内に配置した弾性シートの内面に圧入されることをも特徴とするものである。
【００１８】
この発明の袋止め用クリップにおいて、前記外固定枠は、前記押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことをも特徴とするものである。
【発明の効果】
【００１９】
本発明に係るクリップを用いることよって、前記外固定枠の内面に配置された弾性シートと、前記押え枠のコ字状の開口部端部とがかみ合うことにより、プラスチックフィルム製袋や紙袋を確実に長期に亘って安定的にシールすることが可能となる。
特に粉末状の食品やその他の物品に使用する場合には、空気の混入を防ぎながら粉末状の食品等の一部を必要量だけ取り出して、残りを空気に触れさせることなく安定的に保存を継続することができる。
【図面の簡単な説明】
【００２０】
【図１】本発明に係る袋止め用クリップの第１実施例を説明するものであり、外固定枠の概略斜視図である。
【図２】前記外固定枠に収納してその内面をテーパ状とするための、左右一対のテーパ部材の概略斜視図である。
【図３】前記テーパ部材の内壁に沿って収納される弾性シートの概略斜視図である。
【図４】前記外固定枠にテーパ部材を押し込む状態の概略斜視図である。
【図５】さらにその内側に弾性シートをはめ込もうとする状態の概略斜視図である。
【図６】押え枠の概略斜視図である。
【図７】前記外固定枠ないし押え枠の組立前の状態の概略断面図である。
【図８】前記外固定枠両端に保持枠を取り付けようとする状態の概略斜視図である。
【図９】前記外固定枠両端に保持枠を取り付けた状態の概略斜視図である。
【図１０】前記弾性シートを配設した外固定枠間に袋を介して押え枠を押し込もうとする状態の概略斜視図である。
【図１１】その状態の概略断面図である。
【図１２】前記弾性シートを配設した外固定枠間に袋を介して押え枠を押し込んだ状態の概略断面図である。
【図１３】その上で、外固定枠間と押え枠の外側からＣ字状の圧締具をはめようとする状態の概略斜視図である。
【図１４】前記Ｃ字状の圧締具をはめ込んだ状態の概略斜視図である。
【図１５】その概略断面図である。
【図１６】前記押え枠の別の例を示し、前記弾性シートを配設した外固定枠間に袋を介してひし形の押え枠を押し込もうとする状態の概略断面図である。
【図１７】前記弾性シートを配設した外固定枠間に袋を介して前記押え枠を押し込んだ状態の概略断面図である。
【図１８】前記押え枠のさらに別の例を示し、前記弾性シートを配設した外固定枠間に袋を介して星形の押え枠を押し込もうとする状態の概略断面図である。
【図１９】前記弾性シートを配設した外固定枠間に袋を介して前記押え枠を押し込んだ状態の概略断面図である。
【図２０】前記押え枠のさらに別の例を示し、前記弾性シートを配設した外固定枠間に袋を介して先端を外向きに突出させたコ字状の押え枠を押し込もうとする状態の概略断面図である。
【図２１】前記弾性シートを配設した外固定枠間に袋を介して前記押え枠を押し込んだ状態の概略断面図である。
【図２２】本発明に係る袋止め用クリップの第２実施例を説明するものであり、押え枠の概略斜視図である。
【図２３】前記外固定枠ないし押え枠の組立前の状態の概略断面図である。
【図２４】前記外固定枠両端に軸着用保持枠および抜止め用保持枠を取り付けようとする状態の概略斜視図である。
【図２５】前記外固定枠両端に保持枠を取り付けた状態の概略斜視図である。
【図２６】前記軸着用保持枠に押え枠を軸着しようとする状態の概略斜視図である。
【図２７】前記軸着用保持枠に押え枠を軸着するために軸ピンを取り付けようとする状態の概略斜視図である。
【図２８】前記弾性シートを配設した外固定枠間に袋を介して押え枠を押し込もうとする状態の概略斜視図である。
【図２９】前記弾性シートを配設した外固定枠間に袋を介して押え枠を押し込んだ状態の概略斜視図である。
【図３０】前記押え枠を外固定枠間にはめこんだ上、抜止め用保持枠に止めピンを取り付けて押え枠を抜け止めした状態の概略斜視図である。
【図３１】前記弾性シートを配設した外固定枠間に袋を介して押え枠を押し込もうとする状態の概略断面図である。
【図３２】前記弾性シートを配設した外固定枠間に袋を介して押え枠を押し込んだ状態の概略断面図である。
【発明を実施するための形態】
【００２１】
図１ないし図２１は本発明の袋止め用クリップの第１実施例を示すものである。
この実施例の袋止め用クリップ３１は、図１ないし図１２に示すように、下向きに狭まるテーパ状の内面を備えた外固定枠３２を備えている。
前記外固定枠３２は図1に示すように、上端に両側から延びるフランジ部３２ｂを備えた開口部３２ａによってコ字状に形成されており、フランジ部３２ｂのそれぞれの端部から下向きの垂下片３２ｃが垂設されている。
そして、前記外固定枠３２のテーパ状の内面は、図2に示す左右一対のテーパ部材３３を前記外固定枠３２にはめ込むことにより形成されている。前記一対のテーパ部材３３は底面が幅広で互いに向合う面が上方に向かって後退するような形状でテーパ面となっている。なお３３ａは、前記テーパ面上部に形成した前記垂下片３２ｃをはめ込む段差である。
そして、図４に示すように、両側のフランジ部３２ｂと下向きの垂下片３２ｃで囲まれた部位に前記テーパ部材３３の上端部分をはめ込み、幅広の下端を前記外固定枠３２の底部に接触させて安定化させている。
【００２２】
図３は弾性シート３４を示すものであり、図５に示すように前記外固定枠３２の下向きに狭まるテーパ状の内面に沿って配設される。この弾性シート３４は一定の肉厚を有し、かつ適宜の反発力を備えていて後述の押え枠の突条と密着するものであることが望ましい。
【００２３】
また袋止め用クリップ３１は、図６に示すように、前記弾性シート３４の内面に沿って配置されるくさび式のコ字状断面の押え枠３５を備えている。図７は前記外固定枠３２、前記一対のテーパ部材３３、前記弾性シート３４および押え枠３５の分解状態を示すものである。
【００２４】
図８は前記外固定枠３２に左右一対のテーパ部材３３を組み込み、さらに前記弾性シート３４を前記外固定枠３２のテーパ状の内面に沿って配設した上、前記外固定枠３２の両端部にそれぞれ保持枠３６を取り付けようとする状態を示すものである。
この保持枠３６は、基本的に前記外固定枠３２の端部の外側にはめ込まれるコ字状の側壁３６ａおよび底壁３６ｂを備え、さらに長さ方向の壁面には押え枠（３５）の前記外固定枠３２から突出する部分をはめ込むガイド部３６ｃが突設されている。
図９は前記外固定枠３２の両端部にそれぞれ保持枠３６を取り付けた状態を示すものである。
【００２５】
そして、図１０に示すように、前記外固定枠３２の開口部３２ａから袋４１のシート状の端部をはめ込み、その上から前記押え枠３５を押し込むのである。図１１はその状態を示すものであり、図１２は前記押え枠３５が前記袋４１を介して前記外固定枠３２内に配置した弾性シート３４の内面に圧入された状態を示すものである。
すなわち、前記コ字状の押え枠３５の端部が前記袋４１を介して前記外固定枠３２内に配置した弾性シート３４の内面にかみ合い、前記袋４１の開口部を確実に密閉するようになっている。
【００２６】
前記外固定枠３２と押え枠３５とを備えたこの実施例の袋止め用クリップ３１においては、図１３ないし図１５に示すように、その両側から圧締具３７をはめて抜け落ちるのを防止するようにしておくことが推奨される。
該圧締具３７は、好ましくは強固なバネ性を備えたＣ字状の保持アーム３７ａの両端に、前記外固定枠３２の底部を保持する外固定枠保持面３７ｂ、および前記押え枠３５の上面を保持する押え枠保持面３７ｃが形成されており、図１３の状態からＣ字状の保持アーム３７ａの弾性を利用して図１４のように袋止め用クリップ３１の上下面を挟み込むのである。図１５はその状態を示す断面図であって、前記外固定枠３２の底部および前記押え枠３５の上面はＣ字状の保持アーム３７ａの弾性を利用して強固に圧締されている。
【００２７】
図１６ないし図１７は、前記両側部に突条を有する押え枠の第１の変形例を示すものであり、本変形例の押え枠５１の下端はほぼひし形に形成されていて、コ字状の押え枠５１の両側部にはＶ字状断面の突条５２ａが形成される。すなわち、前記押え枠５１の突条５２ａが前記袋４１を介して前記外固定枠３２内に配置した弾性シート３４の内面に圧入される。
したがって、前記押え枠５１の突条５２ａが前記袋４１を介して前記外固定枠３２内に配置した弾性シート３４の内面に強固に食い込み、前記袋４１の開口部をより確実に密閉することができる。
【００２８】
図１８ないし図１９は、前記両側部に突条を有する押え枠の第２の変形例を示すものであり、本変形例の押え枠５１の下端はほぼ星形に形成されていて、コ字状の押え枠５１の両側部には第１の変形例より鋭角なＶ字状断面の突条５２ｂが形成される。すなわち、前記押え枠５１の突条５２ｂが前記袋４１を介して前記外固定枠３２内に配置した弾性シート３４の内面に圧入される。
したがって、前記押え枠５１の突条５２ｂが前記袋４１を介して前記外固定枠３２内に配置した弾性シート３４の内面に強固に食い込み、前記袋４１の開口部をより確実に密閉することができる。
【００２９】
図２０ないし図２１は、前記両側部に突条を有する押え枠の第３の変形例を示すものであり、本変形例の押え枠５１のコ字状の下端には鋭角の突状５２ｃが形成されていて、コ字状の押え枠５１の両側部には第１および第２の変形例より鋭角なＶ字状断面の突条５２ｃが形成される。すなわち、前記押え枠５１の突条５２ｃが前記袋４１を介して前記外固定枠３２内に配置した弾性シート３４の内面に圧入される。
したがって、前記押え枠５１の突条５２ｃが前記袋４１を介して前記外固定枠３２内に配置した弾性シート３４の内面に強固に食い込み、前記袋４１の開口部をより確実に密閉することができる。
【００３０】
図２２ないし図３２は本発明の袋止め用クリップの第２実施例を示すものである。
この実施例の袋止め用クリップ１１は、外固定枠３２とその内側に配設されるテーパ部材３３、そしてテーパ部材３３のテーパ状の内面に沿って配設される弾性シート３４において第１実施例と共通であるので、その説明を省略する。
【００３１】
前記袋止め用クリップ１１は、前記弾性シート３４の内面に沿って配置されるくさび式の押え枠１２を備えている。
図２２に示すように、本例の下向きの開口を備えたコ字状断面の押え枠１２は、その一端に外固定枠３２の端部に形成した軸孔３２ａと連通する軸孔１２ａが形成してある。
また、コ字状断面の押え枠１２の他端の外周には、筒状の抜止めストッパ１２ｂが固着されている。
図２３は前記外固定枠３２、前記一対のテーパ部材３３、前記弾性シート３４および押え枠１２の分解状態を示すものである。
【００３２】
図２４は前記外固定枠３２に左右一対のテーパ部材３３を組み込み、さらに前記弾性シート３４を前記外固定枠３２のテーパ状の内面に沿って配設した上、前記外固定枠３２の両端部にそれぞれ保持枠１３，１４を取り付けようとする状態を示すものである。
前記外固定枠３２の端部に形成した軸孔３２ａ側の保持枠１３は、基本的に前記外固定枠３２の端部の外側にはめ込まれるコ字状の側壁１３ａおよび底壁１３ｂを備え、さらに長さ方向の壁面には押え枠１２の前記外固定枠３２から突出する部分をはめ込むガイド部１３ｃが突設されている。１３ｄは前記外固定枠３２の端部に固着するためのネジ孔である。
【００３３】
図２４において、他方の保持枠１４も、基本的に前記外固定枠３２の端部の外側にはめ込まれるコ字状の側壁１４ａおよび底壁１４ｂを備え、さらに長さ方向の壁面には押え枠１２の前記外固定枠３２から突出する部分をはめ込むＵ字状抜止め部１４ｃが突設されている。
図２５は前記外固定枠３２の両端部にそれぞれ保持枠１３，１４を取り付けた状態を示すものであり、図２６はさらに前記外固定枠３２に押え枠１２を軸着しようとする状態を示すものである。そして図２７のように、前記保持枠１３に設けた軸着用の欠損部１３ｅから、軸ピン１５を前記外固定枠３２の端部に形成した軸孔３２ａおよび押え枠１２の軸孔１２ａに挿通して軸着する。
【００３４】
その上で、図２８および図３１に示すように、前記外固定枠３２の開口部３２ａから袋２１のシート状の端部をはめ込み、その上から前記押え枠１２を首振りさせて押し込むのである。図２９はその状態を示すものであり、前記Ｕ字状抜止め部１４ｃの上部に設けた貫通孔１４ｄに抜止め用ピン１６をはめ込もうとしている状態を示している。
図３０および図３２は前記押え枠１２が前記袋２１を介して前記外固定枠３２内に配置した弾性シート３４の内面に圧入された状態を示すものである。
すなわち、前記コ字状の押え枠１２の端部が前記袋２１を介して前記外固定枠３２内に配置した弾性シート３４の内面にかみ合い、前記袋２１の開口部を確実に密閉するようになっている。
その際前記押え枠１２は、その先端に取り付けた前記抜止めストッパ１２ｂがＵ字状抜止め部１４ｃに取り付けた前記抜止め用ピン１６と係合し、確実に抜止めできるようになっている。
【００３５】
前記実施例に使用される外固定枠や押え枠、テーパ部材等の素材としては、アルミ等の金属や高密度ポリエチレンやポリプロピレン、ＡＢＳ樹脂等のプラスチック素材が好適に使用され、袋２１，４１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋２１，４１の素材やその開口部のサイズ、使用目的（内容物その他）、前記押え枠や羽根板との相性等に応じて決定することができる。
【００３６】
ちなみに前記袋止め用クリップ１１，３１は気密性を高めた素材からなる袋２１，４１の開口部に装着して使用されるが、前記袋２１，４１の開口部とは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を袋２１，４１に充填して開口部を前記袋止め用クリップ１１，３１により密閉し、その上で前記真空ポンプ機構を用いて袋２１，４１内の空気を吸引して脱気すれば、袋２１，４１内を無酸素状態で長期間保持することができるようになる。
本発明者が実験したところによれば、米や豆等の穀物、茶葉やシイタケ、魚介類等の生鮮食品やその乾物類、穀粉等を袋２１，４１に詰めて真空ポンプ機構で脱気したところ、袋２１，４１は充填物とともにカチカチに硬化した状態となり、１年以上経過してもカチカチの硬化した状態に保たれたままであって何ら気密性が損なわれることはなく、充填物には変色等も見られなかった。
【産業上の利用可能性】
【００３７】
この発明の袋止め用クリップによれば、食品等を収納するためのプラスチックフィルム製の袋や紙袋のみならず、金属箔やその他の種類の素材を積層した複合フィルム等の袋の開口部の閉止に有効に利用することができる。
なお、以上は収納する物品を主に食品や粉末状の食品として説明したが、食品以外の物品であっても、外気を遮断して密封シールする場合に本発明のクリップが利用できるのはいうまでもない。
【符号の説明】
【００３８】
１１  袋止め用クリップ
１２  押え枠
１２ａ  軸孔
１２ｂ  抜止めストッパ
１３  保持枠
１３ａ  側壁
１３ｂ  底壁
１３ｃ  ガイド部
１３ｄ  ネジ孔
１３ｅ  欠損部
１４  保持枠
１４ａ  側壁
１４ｂ  底壁
１４ｃ  Ｕ字状抜止め部
１４ｄ  貫通孔
１５  軸ピン
１６  抜止め用ピン
２１  袋
３１  袋止め用クリップ
３２  外固定枠
３２ａ  開口部
３２ｂ  フランジ部
３２ｃ  垂下片
３３  テーパ部材
３３ａ  段差
３４  弾性シート
３５  押え枠
３６  保持枠
３６ａ  側壁
３６ｂ  底壁
３６ｃ  ガイド部
３７  圧締具３７
３７ａ  保持アーム
３７ｂ  外固定枠保持面
３７ｃ  押え枠保持面
４１  袋
５１  押え枠
５２ａ  突条
５２ｂ  突条
５２ｃ  突条
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
下向きに狭まるテーパ状の内面を備えた外固定枠と、
前記外固定枠のテーパ状の内面に配置された弾性シートと、
前記弾性シート内面の中間の適宜位置において、両側部に設けた突条が係合するよう配置した、アルミ素材からなるコ字状の押え枠とを備え、
前記外固定枠内に配置した弾性シートの内面に軟質シート製の袋の開口部を介在させた上、前記押え枠をその開口部側からくさび式に押し込むことにより、前記コ字状の押え枠の両側の突条が前記袋を介して前記外固定枠内に配置した弾性シート内面の中間の適宜位置において圧入され、前記袋の開口部を確実に密閉するようにしたことを特徴する袋止め用クリップ。
【請求項２】
前記両側部に突条を有する押え枠は、その両側部にＶ字状断面の突条が形成されており、前記押え枠の突条が前記袋を介して前記外固定枠内に配置した弾性シート内面の中間の適宜位置において圧入することを特徴とする請求項１に記載の袋止め用クリップ。
【請求項３】
前記両側部に突条を有するコ字状の押え枠は、コ字状の押え枠の開口部側の端部に外側に向けた突条が設けられており、前記押え枠の突条が前記袋を介して前記外固定枠内に配置した弾性シート内面の中間の適宜位置において圧入されることを特徴とする請求項１に記載の袋止め用クリップ。
【請求項４】
前記外固定枠は、その両端部にそれぞれ保持枠が取り付けられており、前記押え枠が前記袋を介して前記外固定枠内に配置した弾性シート内面の中間の適宜位置において圧入されることを特徴とする請求項１に記載の袋止め用クリップ。
【請求項５】
前記外固定枠と押え枠とを備えた袋止め用クリップは、その両側からＣ字状の圧締具をはめて抜け落ちるのを防止するようにしたことを特徴とする請求項１または２に記載の袋止め用クリップ。
【請求項６】
前記外固定枠は、前記押え枠の一端が前記外固定枠のどちらかの端部に回動可能に軸着してあり、前記押え枠が前記袋を介して前記外固定枠内に配置した弾性シート内面の中間の適宜位置において圧入されることを特徴とする請求項１に記載の袋止め用クリップ。
【請求項７】
前記外固定枠は、前記押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことを特徴とする請求項６に記載の袋止め用クリップ。
【手続補正２】
【補正対象書類名】明細書
【補正対象項目名】全文
【補正方法】変更
【補正の内容】
【発明の詳細な説明】
【技術分野】
【０００１】
本発明は、食品等を収納するためのプラスチックフィルム製の袋の開口部をシールするための袋止め用クリップであり、特に粉末状の食品やその他の物品を空気に触れさせないで保存するのに適している。
【背景技術】
【０００２】
従来から、食品が入ったプラスチックフィルム製の袋の開口部をシールするクリップが市販されており、簡単に使用できるために広く普及している。
例えば特開２０１２−１９２９８２号公報（特許文献１参照）においてクリップは、棒状で断面がＵ字状の溝を有する第１の支持部材、該第１の支持部材に回動自在に取り付けられ該溝に嵌合する嵌合部材、および棒状で断面がコの字状の溝を有する第２の支持部材から構成され、該第２の支持部材が該第１の支持部材に回動自在に取り付けられており、レトルト袋を所望の位置で第１の支持部材と該嵌合部材で挟んで嵌合することによりシールし、その後にクリップから出ているレトルト袋の部分を切り取り、その状態で第１の支持部材を第２の支持部材の断面がコの字状の溝に嵌合させて、レトルト食品の残りを空気に触れない様に安定的にシールして保存するようにしてある。
【０００３】
実用新案登録第３１３１８４４号公報（特許文献２参照）において袋用口止め具は、端部に設けた回転部を中心に開閉する２つの桿状部材からなり、該桿状部材の他端には開閉操作を行うリング状把手が各々設けられてなり、前記桿状部材の一方は回転部とリング状把手との間に桿部をなす凸状部材を形成し、他方の桿状部材は回転部とリング状把手との間に、前記桿部に対応しこれを収納する溝を備えた嵌合部を設けた凹状部材を形成してある。
【０００４】
特開２００３−３２１０３６号公報（特許文献３参照）において閉じ具は、ブレード部材とトラフ部材とを備えており、両者がヒンジストラップで結合されている。ブレード部材及びトラフ部材は、それぞれ、比較的硬い第一プラスチックからなる第一部分（第三部分）及び比較的柔らかい第二プラスチックからなる第二部分（第四部分）を備えており、第一部分及び第二部分は一体成形されており、ブレード部材において、第一部分は楔形部材であり、第二部分は外部部分であり、トラフ部材において、第一部分は内部チャネルであり、第二部分は外部スキンである。
【０００５】
実用新案登録第３１３６３７７号公報（特許文献４参照）において袋用クリップは、凸部を有する長手形状の本体と、この本体に回動自在に支持され、凸部に嵌まる凹部を有する長手形状の操作部材とを備え、凸部と凹部との間に、封が切られた袋の出入り部を挟持する袋用クリップであって、凸部は、本体の長手方向に沿って設けられ、凸部の頂部には、本体の長手方向に沿う長手形状の開口部が設けられ、この長手形状の開口部の長手方向は、本体１の長手方向に沿う形状である。
【０００６】
実用新案登録第３１６４９４７号公報（特許文献５参照）において包装袋用閉じ具は、適当長さに成る載受材の先端に設けた模様突起部の半部材の内側部分を載受杆の内側部と一体の凹形状に形成する。上記の載受材の基端部の左右両側に突軸を設け、適当長さに成る嵌合材の先端に設けた模様突起部の半部材の内側部分を嵌合材の内側部と一体の凹形状に形成する。上記の嵌合材の基端に外部に水平に突設した摘み片を設け、この摘み片の内側の凹形状部の左右両側に通孔を設け、前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにしてある。
【０００７】
実用新案登録第３１６９８１４号公報（特許文献６参照）において袋止め用クリップは、本体部材と操作部材とからなり、操作部材は本体部材に対して回動可能であり、かつ、本体部材に対して係止可能である。本体部材は凸形状を有する縦断面を有しており、操作部材は凸形状に対応する凹形状を有しており、凸形状と凹形状とは、操作部材を本体部材に対して係止させた状態において本体部材と操作部材との間に隙間が形成される位置関係にある。
【先行技術文献】
【特許文献】
【０００８】
【特許文献１】特開２０１２−１９２９８２号公報
【特許文献２】実用新案登録第３１３１８４４号公報
【特許文献３】特開２００３−３２１０３６号公報
【特許文献４】実用新案登録第３１３６３７７号公報
【特許文献５】実用新案登録第３１６４９４７号公報
【特許文献６】実用新案登録第３１６９８１４号公報
【特許文献７】特開２０１５−８３４９３号公報（特願２０１３−２２２８３６号）
【発明の概要】
【発明が解決しようとする課題】
【０００９】
しかし、前記従来の各クリップは凹状部材と凸状部材の組合せからなり、その間に袋の開口部を介在させた状態で凹状部材に凸状部材をはめ込むようにしたものであり、袋の開口部の気密性の保持の面で充分なものとはいえず、長期間の保存中に袋内に外気が入り込んで内容物が酸化あるいは変質してしまうという問題があった。
また、実用新案登録第３１３１８４４号公報（特許文献２参照）における袋用口止め具においては、凸状部材をＩ型としてその下部の段差が凹状部材の内壁に設けた突条に係合し、袋の開口部を前記段差に沿って折れ曲がるようにして閉じるようにしている。
しかしながら上記の工夫にも係らず、袋の開口部の気密性の保持の面ではいまだ充分なものとはいえず、長期間の保存中に袋内に外気が入り込んで内容物が酸化あるいは変質してしまうという問題は解消されていない。
【００１０】
そこでお本発明者は先に、特願２０１３−２２２８３６号（特開２０１５−８３４９３号公報）において、下向きに狭まるテーパ状の内面を備えた外固定枠と、
前記外固定枠のテーパ状の内面に配置された弾性シートと、前記弾性シートの表面に沿って配置され、前記弾性シート側の面に長さ方向に沿って幅方向の中間位置に突条を形成した羽根板と、前記羽根板の内面に沿って配置された断面がくさび状の押え枠とを備え、前記外固定枠内に配置した弾性シートの内面に軟質シート製の袋の開口部を介在させ、さらに羽根板を配置した上、前記押え枠をくさび状に押し込むことにより、前記羽根板の突条が前記袋を介して弾性シートにかみ合い、前記袋の開口部を確実に密閉するようにした袋止め用クリップを提案した。
しかしながら、上記袋止め用クリップはまだ使用するパーツが多く、簡単な操作で袋の開口部に取り付けて確実に前記開口部を密閉するという機能を完全に体現したものとはなっていなかった。
【００１１】
本発明はこの問題を解決するために創意工夫されたものであって、紙袋やプラスチックフィルム製袋等の、とりわけ粉末状の食品やその他の物品を空気に触れさせないで保存するのに適した、新規な袋止め用クリップを提供することを目的とするものである。
【課題を解決するための手段】
【００１２】
すなわちこの発明の袋止め用クリップは、下向きに狭まるテーパ状の内面を備えた外固定枠と、
前記外固定枠のテーパ状の内面に配置された弾性シートと、
前記弾性シート内面の中間の適宜位置において、両側部に設けた突条が係合するよう配置した、アルミ素材からなるコ字状の押え枠とを備え、
前記外固定枠内に配置した弾性シートの内面に軟質シート製の袋の開口部を介在させた上、前記押え枠をその開口部側からくさび式に押し込むことにより、前記コ字状の押え枠の両側の突条が前記袋を介して前記外固定枠内に配置した弾性シート内面の中間の適宜位置において圧入され、前記袋の開口部を確実に密閉するようにしたことを特徴するものである。
【００１３】
この発明の袋止め用クリップにおいて、前記両側部に突条を有する押え枠は、その両側部にＶ字状断面の突条が形成されており、前記押え枠の突条が前記袋を介して前記外固定枠内に配置した弾性シート内面の中間の適宜位置において圧入することをも特徴とするものである。
【００１４】
この発明の袋止め用クリップにおいて、前記両側部に突条を有するコ字状の押え枠は、コ字状の押え枠の開口部側の端部に外側に向けた突条が設けられており、前記押え枠の突条が前記袋を介して前記外固定枠内に配置した弾性シート内面の中間の適宜位置において圧入されることをも特徴とするものである。
【００１５】
この発明の袋止め用クリップにおいて、前記外固定枠は、その両端部にそれぞれ保持枠が取り付けられており、前記押え枠が前記袋を介して前記外固定枠内に配置した弾性シート内面の中間の適宜位置において圧入されることをも特徴とするものである。
【００１６】
この発明の袋止め用クリップにおいて、前記外固定枠と押え枠とを備えた袋止め用クリップは、その両側からＣ字状の圧締具をはめて抜け落ちるのを防止するようにしたことをも特徴とするものである。
【００１７】
この発明の袋止め用クリップにおいて、前記外固定枠は、前記押え枠の一端が前記外固定枠のどちらかの端部に回動可能に軸着してあり、前記押え枠が前記袋を介して前記外固定枠内に配置した弾性シート内面の中間の適宜位置において圧入されることをも特徴とするものである。
【００１８】
この発明の袋止め用クリップにおいて、前記外固定枠は、前記押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことをも特徴とするものである。
【発明の効果】
【００１９】
本発明に係るクリップを用いることよって、前記外固定枠の内面に配置された弾性シート内面の中間の適宜位置と、前記押え枠のコ字状の開口部端部とがかみ合うことにより、プラスチックフィルム製袋や紙袋を確実に長期に亘って安定的にシールすることが可能となる。
特に粉末状の食品やその他の物品に使用する場合には、空気の混入を防ぎながら粉末状の食品等の一部を必要量だけ取り出して、残りを空気に触れさせることなく安定的に保存を継続することができる。
【図面の簡単な説明】
【００２０】
【図１】本発明に係る袋止め用クリップの第１実施例を説明するものであり、外固定枠の概略斜視図である。
【図２】前記外固定枠に収納してその内面をテーパ状とするための、左右一対のテーパ部材の概略斜視図である。
【図３】前記テーパ部材の内壁に沿って収納される弾性シートの概略斜視図である。
【図４】前記外固定枠にテーパ部材を押し込む状態の概略斜視図である。
【図５】さらにその内側に弾性シートをはめ込もうとする状態の概略斜視図である。
【図６】押え枠の概略斜視図である。
【図７】前記外固定枠ないし押え枠の組立前の状態の概略断面図である。
【図８】前記外固定枠両端に保持枠を取り付けようとする状態の概略斜視図である。
【図９】前記外固定枠両端に保持枠を取り付けた状態の概略斜視図である。
【図１０】前記弾性シートを配設した外固定枠間に袋を介して押え枠を押し込もうとする状態の概略斜視図である。
【図１１】その状態の概略断面図である。
【図１２】前記弾性シートを配設した外固定枠間に袋を介して押え枠を押し込んだ状態の概略断面図である。
【図１３】その上で、外固定枠間と押え枠の外側からＣ字状の圧締具をはめようとする状態の概略斜視図である。
【図１４】前記Ｃ字状の圧締具をはめ込んだ状態の概略斜視図である。
【図１５】その概略断面図である。
【図１６】前記押え枠の別の例を示し、前記弾性シートを配設した外固定枠間に袋を介してひし形の押え枠を押し込もうとする状態の概略断面図である。
【図１７】前記弾性シートを配設した外固定枠間に袋を介して前記押え枠を押し込んだ状態の概略断面図である。
【図１８】前記押え枠のさらに別の例を示し、前記弾性シートを配設した外固定枠間に袋を介して星形の押え枠を押し込もうとする状態の概略断面図である。
【図１９】前記弾性シートを配設した外固定枠間に袋を介して前記押え枠を押し込んだ状態の概略断面図である。
【図２０】前記押え枠のさらに別の例を示し、前記弾性シートを配設した外固定枠間に袋を介して先端を外向きに突出させたコ字状の押え枠を押し込もうとする状態の概略断面図である。
【図２１】前記弾性シートを配設した外固定枠間に袋を介して前記押え枠を押し込んだ状態の概略断面図である。
【図２２】本発明に係る袋止め用クリップの第２実施例を説明するものであり、押え枠の概略斜視図である。
【図２３】前記外固定枠ないし押え枠の組立前の状態の概略断面図である。
【図２４】前記外固定枠両端に軸着用保持枠および抜止め用保持枠を取り付けようとする状態の概略斜視図である。
【図２５】前記外固定枠両端に保持枠を取り付けた状態の概略斜視図である。
【図２６】前記軸着用保持枠に押え枠を軸着しようとする状態の概略斜視図である。
【図２７】前記軸着用保持枠に押え枠を軸着するために軸ピンを取り付けようとする状態の概略斜視図である。
【図２８】前記弾性シートを配設した外固定枠間に袋を介して押え枠を押し込もうとする状態の概略斜視図である。
【図２９】前記弾性シートを配設した外固定枠間に袋を介して押え枠を押し込んだ状態の概略斜視図である。
【図３０】前記押え枠を外固定枠間にはめこんだ上、抜止め用保持枠に止めピンを取り付けて押え枠を抜け止めした状態の概略斜視図である。
【図３１】前記弾性シートを配設した外固定枠間に袋を介して押え枠を押し込もうとする状態の概略断面図である。
【図３２】前記弾性シートを配設した外固定枠間に袋を介して押え枠を押し込んだ状態の概略断面図である。
【発明を実施するための形態】
【００２１】
図１ないし図２１は本発明の袋止め用クリップの第１実施例を示すものである。
この実施例の袋止め用クリップ３１は、図１ないし図１２に示すように、下向きに狭まるテーパ状の内面を備えた外固定枠３２を備えている。
前記外固定枠３２は図1に示すように、上端の両側から内向きに延びるフランジ部３２ｂを備えた開口部３２ａによってコ字状に形成されており、フランジ部３２ｂのそれぞれの端部から下向きの垂下片３２ｃが垂設されている。
そして、前記外固定枠３２のテーパ状の内面は、図2に示す左右一対のテーパ部材３３を前記外固定枠３２にはめ込むことにより形成されている。前記一対のテーパ部材３３は底面が幅広で互いに向合う面が上方に向かって後退するような形状でテーパ面となっている。なお３３ａは、前記テーパ面上部に形成した前記垂下片３２ｃをはめ込む段差である。
そして、図４に示すように、両側のフランジ部３２ｂと下向きの垂下片３２ｃで囲まれた部位に前記テーパ部材３３の上端部分をはめ込み、幅広の下端を前記外固定枠３２の底部に接触させて安定化させている。
【００２２】
図３は弾性シート３４を示すものであり、図５に示すように前記外固定枠３２の下向きに狭まるテーパ状の内面に沿って配設される。この弾性シート３４は一定の肉厚を有し、かつ適宜の反発力を備えていて後述の押え枠の突条と密着するものであることが望ましい。
【００２３】
また袋止め用クリップ３１は、図６に示すように、前記弾性シート３４の内面に沿って配置されるくさび式のコ字状断面の押え枠３５を備えている。図７は前記外固定枠３２、前記一対のテーパ部材３３、前記弾性シート３４および押え枠３５の分解状態を示すものである。
【００２４】
図８は前記外固定枠３２に左右一対のテーパ部材３３を組み込み、さらに前記弾性シート３４を前記外固定枠３２のテーパ状の内面に沿って配設した上、前記外固定枠３２の両端部にそれぞれ保持枠３６を取り付けようとする状態を示すものである。
この保持枠３６は、基本的に前記外固定枠３２の端部の外側にはめ込まれるコ字状の側壁３６ａおよび底壁３６ｂを備え、さらに長さ方向の壁面には押え枠（３５）の前記外固定枠３２から突出する部分をはめ込むガイド部３６ｃが突設されている。
図９は前記外固定枠３２の両端部にそれぞれ保持枠３６を取り付けた状態を示すものである。
【００２５】
そして、図１０に示すように、前記外固定枠３２の開口部３２ａから袋４１のシート状の端部をはめ込み、その上から前記押え枠３５を押し込むのである。図１１はその状態を示すものであり、図１２は前記押え枠３５が前記袋４１を介して前記外固定枠３２内に配置した弾性シート３４の内面に圧入された状態を示すものである。
すなわち、前記コ字状の押え枠３５の端部が前記袋４１を介して前記外固定枠３２内に配置した弾性シート３４内面の中間の適宜位置において圧入されてかみ合い、前記袋４１の開口部を確実に密閉するようになっている。
【００２６】
前記外固定枠３２と押え枠３５とを備えたこの実施例の袋止め用クリップ３１においては、図１３ないし図１５に示すように、その両側から圧締具３７をはめて抜け落ちるのを防止するようにしておくことが推奨される。
該圧締具３７は、好ましくは強固なバネ性を備えたＣ字状の保持アーム３７ａの両端に、前記外固定枠３２の底部を保持する外固定枠保持面３７ｂ、および前記押え枠３５の上面を保持する押え枠保持面３７ｃが形成されており、図１３の状態からＣ字状の保持アーム３７ａの弾性を利用して図１４のように袋止め用クリップ３１の上下面を挟み込むのである。図１５はその状態を示す断面図であって、前記外固定枠３２の底部および前記押え枠３５の上面はＣ字状の保持アーム３７ａの弾性を利用して強固に圧締されている。
【００２７】
図１６ないし図１７は、前記両側部に突条を有する押え枠の第１の変形例を示すものであり、本変形例の押え枠５１の下端はほぼひし形に形成されていて、コ字状の押え枠５１の両側部にはＶ字状断面の突条５２ａが形成される。すなわち、前記押え枠５１の突条５２ａが前記袋４１を介して前記外固定枠３２内に配置した弾性シート３４の内面に圧入される。
したがって、前記押え枠５１の突条５２ａが前記袋４１を介して前記外固定枠３２内に配置した弾性シート３４の内面に強固に食い込み、前記袋４１の開口部をより確実に密閉することができる。
【００２８】
図１８ないし図１９は、前記両側部に突条を有する押え枠の第２の変形例を示すものであり、本変形例の押え枠５１の下端はほぼ星形に形成されていて、コ字状の押え枠５１の両側部には第１の変形例より鋭角なＶ字状断面の突条５２ｂが形成される。すなわち、前記押え枠５１の突条５２ｂが前記袋４１を介して前記外固定枠３２内に配置した弾性シート３４の内面に圧入される。
したがって、前記押え枠５１の突条５２ｂが前記袋４１を介して前記外固定枠３２内に配置した弾性シート３４の内面に強固に食い込み、前記袋４１の開口部をより確実に密閉することができる。
【００２９】
図２０ないし図２１は、前記両側部に突条を有する押え枠の第３の変形例を示すものであり、本変形例の押え枠５１のコ字状の下端には鋭角の突状５２ｃが形成されていて、コ字状の押え枠５１の両側部には第１および第２の変形例より鋭角なＶ字状断面の突条５２ｃが形成される。すなわち、前記押え枠５１の突条５２ｃが前記袋４１を介して前記外固定枠３２内に配置した弾性シート３４の内面に圧入される。
したがって、前記押え枠５１の突条５２ｃが前記袋４１を介して前記外固定枠３２内に配置した弾性シート３４の内面に強固に食い込み、前記袋４１の開口部をより確実に密閉することができる。
【００３０】
図２２ないし図３２は本発明の袋止め用クリップの第２実施例を示すものである。
この実施例の袋止め用クリップ１１は、外固定枠３２とその内側に配設されるテーパ部材３３、そしてテーパ部材３３のテーパ状の内面に沿って配設される弾性シート３４において第１実施例と共通であるので、その説明を省略する。
【００３１】
前記袋止め用クリップ１１は、前記弾性シート３４の内面に沿って配置されるくさび式の押え枠１２を備えている。
図２２に示すように、本例の下向きの開口を備えたコ字状断面の押え枠１２は、その一端に外固定枠３２の端部に形成した軸孔３２ａと連通する軸孔１２ａが形成してある。
また、コ字状断面の押え枠１２の他端の外周には、筒状の抜止めストッパ１２ｂが固着されている。
図２３は前記外固定枠３２、前記一対のテーパ部材３３、前記弾性シート３４および押え枠１２の分解状態を示すものである。
【００３２】
図２４は前記外固定枠３２に左右一対のテーパ部材３３を組み込み、さらに前記弾性シート３４を前記外固定枠３２のテーパ状の内面に沿って配設した上、前記外固定枠３２の両端部にそれぞれ保持枠１３，１４を取り付けようとする状態を示すものである。
前記外固定枠３２の端部に形成した軸孔３２ａ側の保持枠１３は、基本的に前記外固定枠３２の端部の外側にはめ込まれるコ字状の側壁１３ａおよび底壁１３ｂを備え、さらに長さ方向の壁面には押え枠１２の前記外固定枠３２から突出する部分をはめ込むガイド部１３ｃが突設されている。１３ｄは前記外固定枠３２の端部に固着するためのネジ孔である。
【００３３】
図２４において、他方の保持枠１４も、基本的に前記外固定枠３２の端部の外側にはめ込まれるコ字状の側壁１４ａおよび底壁１４ｂを備え、さらに長さ方向の壁面には押え枠１２の前記外固定枠３２から突出する部分をはめ込むＵ字状抜止め部１４ｃが突設されている。
図２５は前記外固定枠３２の両端部にそれぞれ保持枠１３，１４を取り付けた状態を示すものであり、図２６はさらに前記外固定枠３２に押え枠１２を軸着しようとする状態を示すものである。そして図２７のように、前記保持枠１３に設けた軸着用の欠損部１３ｅから、軸ピン１５を前記外固定枠３２の端部に形成した軸孔３２ａおよび押え枠１２の軸孔１２ａに挿通して軸着する。
【００３４】
その上で、図２８および図３１に示すように、前記外固定枠３２の開口部３２ａから袋２１のシート状の端部をはめ込み、その上から前記押え枠１２を首振りさせて押し込むのである。図２９はその状態を示すものであり、前記Ｕ字状抜止め部１４ｃの上部に設けた貫通孔１４ｄに抜止め用ピン１６をはめ込もうとしている状態を示している。
図３０および図３２は前記押え枠１２が前記袋２１を介して前記外固定枠３２内に配置した弾性シート３４の内面に圧入された状態を示すものである。
すなわち、前記コ字状の押え枠１２の端部が前記袋２１を介して前記外固定枠３２内に配置した弾性シート３４内面の中間の適宜位置において圧入されてかみ合い、前記袋２１の開口部を確実に密閉するようになっている。
その際前記押え枠１２は、その先端に取り付けた前記抜止めストッパ１２ｂがＵ字状抜止め部１４ｃに取り付けた前記抜止め用ピン１６と係合し、確実に抜止めできるようになっている。
【００３５】
前記実施例に使用される外固定枠や押え枠、テーパ部材等の素材としては、アルミ等の金属や高密度ポリエチレンやポリプロピレン、ＡＢＳ樹脂等のプラスチック素材が好適に使用され、袋２１，４１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋２１，４１の素材やその開口部のサイズ、使用目的（内容物その他）、前記押え枠や羽根板との相性等に応じて決定することができる。
【００３６】
ちなみに前記袋止め用クリップ１１，３１は気密性を高めた素材からなる袋２１，４１の開口部に装着して使用されるが、前記袋２１，４１の開口部とは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を袋２１，４１に充填して開口部を前記袋止め用クリップ１１，３１により密閉し、その上で前記真空ポンプ機構を用いて袋２１，４１内の空気を吸引して脱気すれば、袋２１，４１内を無酸素状態で長期間保持することができるようになる。
本発明者が実験したところによれば、米や豆等の穀物、茶葉やシイタケ、魚介類等の生鮮食品やその乾物類、穀粉等を袋２１，４１に詰めて真空ポンプ機構で脱気したところ、袋２１，４１は充填物とともにカチカチに硬化した状態となり、１年以上経過してもカチカチの硬化した状態に保たれたままであって何ら気密性が損なわれることはなく、充填物には変色等も見られなかった。
【産業上の利用可能性】
【００３７】
この発明の袋止め用クリップによれば、食品等を収納するためのプラスチックフィルム製の袋や紙袋のみならず、金属箔やその他の種類の素材を積層した複合フィルム等の袋の開口部の閉止に有効に利用することができる。
なお、以上は収納する物品を主に食品や粉末状の食品として説明したが、食品以外の物品であっても、外気を遮断して密封シールする場合に本発明のクリップが利用できるのはいうまでもない。
【符号の説明】
【００３８】
１１  袋止め用クリップ
１２  押え枠
１２ａ  軸孔
１２ｂ  抜止めストッパ
１３  保持枠
１３ａ  側壁
１３ｂ  底壁
１３ｃ  ガイド部
１３ｄ  ネジ孔
１３ｅ  欠損部
１４  保持枠
１４ａ  側壁
１４ｂ  底壁
１４ｃ  Ｕ字状抜止め部
１４ｄ  貫通孔
１５  軸ピン
１６  抜止め用ピン
２１  袋
３１  袋止め用クリップ
３２  外固定枠
３２ａ  開口部
３２ｂ  フランジ部
３２ｃ  垂下片
３３  テーパ部材
３３ａ  段差
３４  弾性シート
３５  押え枠
３６  保持枠
３６ａ  側壁
３６ｂ  底壁
３６ｃ  ガイド部
３７  圧締具３７
３７ａ  保持アーム
３７ｂ  外固定枠保持面
３７ｃ  押え枠保持面
４１  袋
５１  押え枠
５２ａ  突条
５２ｂ  突条
５２ｃ  突条
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
下向きに狭まるテーパ状の内面を備えた外固定枠と、
前記外固定枠のテーパ状の内面に配置された弾性シートと、
前記弾性シート内面の適宜位置において、両側部に設けた突条が係合するよう配置した、アルミ素材からなる下向きに開口したコ字状の押え枠とを備え、
前記外固定枠内に配置した弾性シートの内面に軟質シート製の袋の開口部を介在させた上、前記押え枠をその開口部側からくさび式に押し込むことにより、前記コ字状の押え枠の両側の突条が前記袋を介して前記外固定枠内に配置した弾性シート内面の中間の適宜位置において圧入され、前記袋の開口部を確実に密閉するようにしたことを特徴する袋止め用クリップ。
【請求項２】
前記両側部に突条を有する下向きに開口したコ字状の押え枠は、その両側部にＶ字状断面の突条が形成されており、前記押え枠の突条が前記袋を介して前記外固定枠内に配置した弾性シート内面の適宜位置において圧入することを特徴とする請求項１に記載の袋止め用クリップ。
【請求項３】
前記両側部に突条を有する下向きに開口したコ字状の押え枠は、コ字状の押え枠の開口部側の端部に外側に向けた突条が設けられており、前記押え枠の突条が前記袋を介して前記外固定枠内に配置した弾性シート内面の適宜位置において圧入されることを特徴とする請求項１に記載の袋止め用クリップ。
【請求項４】
前記外固定枠は、その両端部にそれぞれ保持枠が取り付けられており、前記下向きに開口したコ字状の押え枠が前記袋を介して前記外固定枠内に配置した弾性シート内面の適宜位置において圧入されることを特徴とする請求項１に記載の袋止め用クリップ。
【請求項５】
前記外固定枠と下向きに開口したコ字状の押え枠とを備えた袋止め用クリップは、その両側からＣ字状の圧締具をはめて抜け落ちるのを防止するようにしたことを特徴とする請求項１または２に記載の袋止め用クリップ。
【請求項６】
前記外固定枠は、前記押え枠の一端が前記外固定枠のどちらかの端部に回動可能に軸着してあり、前記下向きに開口したコ字状の押え枠が前記袋を介して前記外固定枠内に配置した弾性シート内面の適宜位置において圧入されることを特徴とする請求項１に記載の袋止め用クリップ。
【請求項７】
前記外固定枠は、前記下向きに開口したコ字状の押え枠の軸着部分とは異なる端部に止ピン用の取付孔が設けられ、前記押え枠を前記外固定枠内に押し込んだ上、前記取付孔に止ピンをはめ込むことにより、前記押え枠は前記外固定枠内に確実に保持されるようにしたことを特徴とする請求項６に記載の袋止め用クリップ。